【手続補正書】
【提出日】平成24年9月7日(2012.9.7)
【手続補正１】
【補正対象書類名】特許請求の範囲
【補正対象項目名】全文
【補正方法】変更
【補正の内容】
【特許請求の範囲】
【請求項１】
無線通信システムにおいて、送信電力を、複数の送信チャネルに分配する方法であって、
送信電力を分配すべき送信チャネルからなるセットを識別することと、
前記送信チャネルに分配するのに使用できる総送信電力を決定することと、
特定の分配スキームに基づいて、前記総送信電力を、前記セット内の送信チャネルに分配することと、
前記送信チャネルに分配された送信電力に部分的に基づいて、余剰なスペクトル効率を決定することと、
１つまたは複数の送信チャネルに、前記余剰なスペクトル効率を低減するための低減された量の送信電力を再分配することと、
前記送信チャネルに対する複数の送信電力低減に対するスペクトル効率の増分変化を決定することと、
前記余剰なスペクトル効率以下である、増分スペクトル効率変化に対応した最大の送信電力低減を選択することと
を備える方法。
【請求項２】
各送信チャネルに分配された送信電力を低減して、好適な動作点を実現することをさらに備える、請求項１に記載の方法。
【請求項３】
落とした送信電力を決定することと、
前記落とした送信電力を、前記セット内の送信チャネルに分配することと、
をさらに備える、請求項１に記載の方法。
【請求項４】
前記余剰なスペクトル効率が特定のしきい値内になるまで、前記落とした送信電力を決定することと、前記落とした送信電力を１度またはそれ以上分配することとを実行することをさらに備える、請求項１に記載の方法。
【請求項５】
送信電力を分配すべき送信チャネルからなるセットを識別する手段と、
前記送信チャネルに分配するのに使用できる総送信電力を決定する手段と、
特定の分配スキームに基づいて、前記総送信電力を、前記セット内の送信チャネルに分配する手段と、
前記送信チャネルに分配された送信電力に部分的に基づいて、余剰なスペクトル効率を決定する手段と、
１つまたは複数の送信チャネルに、前記余剰なスペクトル効率を低減するための低減された量の送信電力を再分配する手段と、
前記送信チャネルに対する複数の送信電力低減に対するスペクトル効率の増分変化を決定する手段と、
前記余剰なスペクトル効率以下である、増分スペクトル効率変化に対応した最大の送信電力低減を選択する手段と
を備える無線通信システムにおけるコントローラ。
【請求項６】
１つまたは複数の符号化および変調スキームに基づいて、複数の送信チャネルのためのデータを符号化して、複数のシンボルストリームを生成するように動作する送信データプロセッサと、
前記複数のシンボルストリームを処理して、通信チャネル上での送信に適した複数の変調信号を生成するように動作する複数の送信機と、
送信電力を分配すべき１つまたは複数の送信チャネルからなるセットを定義し、
前記セット内の送信チャネルに分配するのに利用できる総送信電力を決定し、
特定の分配スキームに基づいて、前記総送信電力を、前記セット内の送信チャネルに分配し、
前記分配された送信電力によって生じる、飽和スペクトル効率領域内の送信チャネルを識別し、
前記飽和スペクトル効率領域内の各送信チャネルに、修正された量の送信電力を再分配し、
前記修正された量の送信電力が再分配された全ての送信チャネルについて、余剰な送信電力の総量を決定し、
前記定義することと、決定することと、分配することと、識別することと、再分配することとを１度またはそれ以上繰り返し実行し、最初の繰り返しに対する送信チャネルのセットが、複数の送信チャネルを含み、各後の繰り返しに対する送信チャネルのセットが、前記飽和スペクトル効率領域内にない送信チャネルを含み、各後の繰り返しに対して使用可能な総送信電力が、現在の繰り返しにおいて決定された余剰な送信電力の総量を含むことにより、前記複数の送信チャネルに送信電力を分配するように動作するコントローラと、
を備える無線通信システムにおける送信機ユニット。
【請求項７】
前記送信データプロセッサは、さらに、変調シンボルに使用する送信チャネルに分配された送信電力に基づいて決定した特定の重みで各変調シンボルをスケールするように動作する、請求項６に記載の送信機ユニット。
【請求項８】
前記複数のシンボルストリームを前処理して、前記複数の送信チャネルを対角化するように動作する多入力多出力（ＭＩＭＯ）プロセッサをさらに備える、請求項６に記載の送信機ユニット。
【請求項９】
請求項６の送信機ユニットを備える基地局。
【請求項１０】
無線通信システムにおける受信機ユニットであって、
サンプルからなる複数のストリームを受信して処理し、受信したシンボルからなる複数のストリームを生成するように動作し、かつ前記複数の受信シンボルストリームに用いる複数の送信チャネルのためのチャネル状態情報（ＣＳＩ）を得るように動作する受信多入力多出力（ＭＩＭＯ）プロセッサと、
１つまたは複数の変調スキームおよび復号スキームに従って、前記複数の受信シンボルストリームを処理して復号データを生成するように動作する受信データプロセッサとを備え、
前記複数の送信チャネルのための送信電力が、特定の分配スキームに基づいて利用可能な総送信電力を前記複数の送信チャネルに分配し、飽和スペクトル効率領域内の各送信チャネルに、修正された量の送信電力を再分配し、かつ残りの総送信電力を、前記飽和スペクトル効率領域内にない送信チャネルに分配することにより、前記チャネル状態情報（ＣＳＩ）に部分的に基づいて分配される受信機ユニット。
【請求項１１】
前記受信多入力多出力（ＭＩＭＯ）プロセッサは、さらに、前記複数の受信シンボルを前処理し、前記複数の送信チャネルを対角化するように動作する、請求項１０に記載の受信機ユニット。
【請求項１２】
送信機ユニットへ戻す送信のため前記チャネル状態情報（ＣＳＩ）を処理するように動作する送信データプロセッサをさらに備える、請求項１０に記載の受信機ユニット。
【請求項１３】
無線通信システムにおける受信機装置であって、
サンプルからなる複数のストリームを処理して、受信したシンボルからなる複数のストリームを生成し、かつ前記複数の受信シンボルストリームに用いる複数の送信チャネルのためのチャネル状態情報（ＣＳＩ）を得る手段と、
１つまたは複数の復調スキームおよび復号スキームに従って前記複数の受信シンボルストリームを処理して復号データを生成する手段とを備え、
前記複数の送信チャネルのための送信電力が、特定の分配スキームに基づいて利用可能な総送信電力を前記複数の送信チャネルに分配し、飽和スペクトル効率領域内の各送信チャネルに、修正された量の送信電力を再分配し、かつ残りの総送信電力を、前記飽和スペクトル効率領域内にない送信チャネルに分配することにより、前記チャネル状態情報（ＣＳＩ）に部分的に基づいて分配される受信機装置。
【請求項１４】
無線通信システムにおいて、送信電力を、複数の送信チャネルに分配する方法であって、
送信電力を分配すべき１つまたは複数の送信チャネルからなるセットを定義することと、
前記セット内の送信チャネルに分配するのに利用できる総送信電力を決定することと、
特定の分配スキームに基づいて、前記総送信電力を、前記セット内の送信チャネルに分配することと、
分配された送信電力によって生じる、飽和スペクトル効率領域内の送信チャネルを識別することと、
前記飽和スペクトル効率領域内の各送信チャネルに、修正された量の送信電力を再分配することと、
前記修正された量の送信電力が再分配された全ての送信チャネルについて、余剰な送信電力の総量を決定することと、
前記定義することと、決定することと、分配することと、識別することと、再分配することとを１度またはそれ以上繰り返し実行することであって、最初の繰り返しに対する送信チャネルのセットが、複数の送信チャネルを含み、各後の繰り返しに対する送信チャネルのセットが、前記飽和スペクトル効率領域内にない送信チャネルを含み、各後の繰り返しに対して使用可能な総送信電力が、現在の繰り返しにおいて決定された余剰な送信電力の総量を含むことと
を備える方法。
【請求項１５】
各繰り返しに対して使用可能な総送信電力は、注水分配スキームに基づいて、前記セット内の送信チャネルに分配される、請求項１４に記載の方法。
【請求項１６】
前記送信チャネルは、特定の最大データレートを実現するのに必要な送信電力よりも多い送信電力が分配された場合に、前記飽和スペクトル効率領域内にあると考えられる、請求項１４に記載の方法。
【請求項１７】
前記飽和スペクトル効率領域内の各送信チャネルに分配された送信電力の修正された量は、前記最大データレートを実現するのに必要な最少量である、請求項１６に記載の方法。
【請求項１８】
送信チャネルは、特定のＳＮ比を実現するのに必要な送信電力よりも多い送信電力が分配された場合に、前記飽和スペクトル効率領域内にあると考えられる、請求項１４に記載の方法。
【請求項１９】
前記セット内の全ての送信チャネルに対して、単一のＳＮ比が用いられる、請求項１８に記載の方法。
【請求項２０】
各送信チャネルは、それぞれのしきい値ＳＮ比と対応している、請求項１８に記載の方法。
【請求項２１】
前記識別することは、
前記送信チャネルに分配された送信電力に一部基づいて、前記セット内の各送信チャネルに対して、有効ＳＮ比を決定することと、
前記セット内の各送信チャネルに対する有効ＳＮ比を、該送信チャネルに適用可能なしきい値ＳＮ比と比較することと、
その有効ＳＮ比が、前記適用可能なしきい値ＳＮ比よりも大きい場合に、送信チャネルが前記飽和スペクトル効率領域内にあると宣言することと、
を含む、請求項１４に記載の方法。
【請求項２２】
前記しきい値ＳＮ比は、特定の最大データレートを実現するのに必要なＳＮ比に対応する、請求項２１に記載の方法。
【請求項２３】
前記無線通信システムは、多入力多出力（ＭＩＭＯ）通信システムである、請求項１４に記載の方法。
【請求項２４】
前記複数の送信チャネルは、前記多入力多出力（ＭＩＭＯ）通信システムの多入力多出力（ＭＩＭＯ）チャネルのための複数の固有モードに対応する、請求項２３に記載の方法。
【請求項２５】
前記無線通信システムは、直交周波数分割多重化（ＯＦＤＭ）通信システムである、請求項１４に記載の方法。
【請求項２６】
前記無線通信システムは、直交周波数分割多重化（ＯＦＤＭ）を用いる多入力多出力（ＭＩＭＯ）通信システムである、請求項１４に記載の方法。
【請求項２７】
多入力多出力（ＭＩＭＯ）通信システムにおいて、送信電力を、複数の空間サブチャネルに分配する方法であって、
送信電力を分配すべき１つまたは複数の空間サブチャネルからなるセットを定義することと、
前記セット内の空間サブチャネルに分配するのに利用できる総送信電力を決定することと、
特定の分配スキームに基づいて、前記総送信電力を前記セット内の空間サブチャネルに分配することと、
分配された送信電力によって生じる、飽和スペクトル効率領域内の空間サブチャネルを識別することと、
前記飽和スペクトル効率領域内の各空間サブチャネルに、修正された量の送信電力を再分配することと、
前記修正された量の送信電力が再分配された全ての空間サブチャネルに対して、余剰な送信電力の総量を決定することと、
前記定義することと、決定することと、分配することと、識別することと、再分配することとを１度またはそれ以上繰り返し実行することであって、最初の繰り返しに対する空間サブチャネルのセットが、複数の空間サブチャネルを含み、各後の繰り返しに対する空間サブチャネルのセットが、前記飽和スペクトル効率領域内にない空間サブチャネルを含み、各後の繰り返しに対して使用可能な総送信電力が、現在の繰り返しにおいて決定された余剰な送信電力の総量を含むことと
を備える方法。
【請求項２８】
各繰り返しに対して使用可能な総送信電力は、注水分配スキームに基づいて、前記セット内の空間サブチャネルに分配される、請求項２７に記載の方法。
【請求項２９】
無線通信システムにおいて、送信電力を複数の送信チャネルに分配する方法であって、
送信電力を分配すべき送信チャネルからなる最初のセットを識別することと、
前記最初のセット内の送信チャネルに分配するのに使用可能な総送信電力を決定することと、
特定の分配スキームに基づいて、前記総送信電力を、前記最初のセット内の送信チャネルに分配することと、
好適な動作点のために余剰な送信電力が分配された１つまたは複数の送信チャネルからなる第２のセットを識別することと、
前記第２のセット内の各送信チャネルに、前記好適な動作点を実現するための修正された量の送信電力を分配することと、
前記第２のセット内の全ての送信チャネルに対して余剰な電力の総量を決定することと、
より高い好適な動作点をサポートすることができる１つまたは複数の送信チャネルからなる第３のセットを識別することと、
前記余剰な電力の総量を、前記第３のセット内の１つまたは複数の送信チャネルに再分配することと
を備える方法。
【請求項３０】
前記好適な動作点は、特定の不連続なデータレートをサポートするのに必要なＳＮ比と関連付けられている、請求項２９に記載の方法。
【請求項３１】
前記余剰な電力の総量の、前記第３のセット内の１つまたは複数の送信チャネルへの複数の可能な再分配を評価することをさらに備える、請求項２９に記載の方法。
【請求項３２】
スループットにおける最高のゲインに関連付けられた再分配を選択することを更に備える、請求項３１に記載の方法。
【請求項３３】
前記余剰な電力の総量は、１度に１つのチャネルに再分配され、前記第３のセット内の１つまたは複数の送信チャネルに再分配される、請求項２９に記載の方法。
【請求項３４】
前記送信チャネルには、次のより高い好適な動作点を実現するのに十分な送信電力が再分配される、請求項２９に記載の方法。
【請求項３５】
前記再分配することは、
次のより高い好適な動作点を実現するために、前記第３のセット内の各送信チャネルに必要な送信電力の量を決定することと、
余剰な電力の総量を、スループットにおける最高のゲインに対応した送信チャネルに再分配することと
を含む、請求項２９に記載の方法。
【請求項３６】
前記総送信電力は、注水スキームに基づいて、前記最初のセット内の送信チャネルに分配される、請求項２９に記載の方法。
【請求項３７】
前記複数の送信チャネルは、多入力多出力（ＭＩＭＯ）システムにおける空間サブチャネルに対応している、請求項２９に記載の方法。
【請求項３８】
前記複数の送信チャネルは、直交周波数分割多重化（ＯＦＤＭ）システムにおける周波数サブチャネルに対応している、請求項２９に記載の方法。
【請求項３９】
前記複数の送信チャネルは、多入力多出力直交周波数分割多重化（ＭＩＭＯ−ＯＦＤＭ）システムにおける空間サブチャネルの周波数サブチャネルに対応している、請求項２９に記載の方法。
【請求項４０】
送信電力を分配すべき１つまたは複数の送信チャネルからなるセットを定義し、
前記セット内の送信チャネルに分配するのに利用できる総送信電力を決定し、
特定の分配スキームに基づいて、前記総送信電力を、前記セット内の送信チャネルに分配し、
前記分配された送信電力によって生じる、飽和スペクトル効率領域内の送信チャネルを識別し、
前記飽和スペクトル効率領域内の各送信チャネルに、修正された量の送信電力を再分配し、
前記修正された量の送信電力が再分配された全ての送信チャネルに対して、余剰な送信電力の総量を決定し、
前記定義することと、決定することと、分配することと、識別することと、再分配することとを１度またはそれ以上繰り返し実行し、最初の繰り返しに対する送信チャネルのセットが、無線通信システムにおける複数の送信チャネルを含み、各後の繰り返しに対する送信チャネルのセットが、前記飽和スペクトル効率領域内にない送信チャネルを含み、各後の繰り返しに対して使用可能な総送信電力が、現在の繰り返しにおいて決定された余剰な送信電力の総量を含むように
ディジタル情報を処理することができるディジタル信号処理デバイス（ＤＳＰＤ）に通信可能に結合されたメモリ。
【請求項４１】
無線通信システムにおいて、送信電力を複数の送信チャネルに分配するためのコンピュータプログラム製品であって、
送信電力を分配すべき１つまたは複数の送信チャネルからなるセットを定義するコードと、
前記セット内の送信チャネルに分配するのに利用できる総送信電力を決定するコードと、
特定の分配スキームに基づいて、前記総送信電力を、前記セット内の送信チャネルに分配するコードと、
前記分配された送信電力によって生じる、飽和スペクトル効率領域内の送信チャネルを識別するコードと、
前記飽和スペクトル効率領域内の各送信チャネルに、修正された量の送信電力を再分配するコードと、
前記修正された量の送信電力が再分配された全ての送信チャネルについて、余剰な送信電力の総量を決定するコードと、
前記定義することと、決定することと、分配することと、識別することと、再分配することとを１度またはそれ以上繰り返し実行するコードであって、最初の繰り返しに対する送信チャネルのセットが、複数の送信チャネルを含み、各後の繰り返しに対する送信チャネルのセットが、前記飽和スペクトル効率領域内にない送信チャネルを含み、各後の繰り返しに対して使用可能な総送信電力が、現在の繰り返しにおいて決定された余剰な送信電力の総量を含むコードとを備えるコンピュータプログラム製品。
【請求項４２】
送信電力を分配すべき１つまたは複数の送信チャネルからなるセットを定義する手段と、
前記セット内の送信チャネルに分配するのに利用できる総送信電力を決定する手段と、
特定の分配スキームに基づいて、前記総送信電力を、前記セット内の送信チャネルに分配する手段と、
前記分配された送信電力によって生じる、飽和スペクトル効率領域内の送信チャネルを識別する手段と、
前記飽和スペクトル効率領域内の各送信チャネルに、修正された量の送信電力を再分配する手段と、
前記修正された量の送信電力が再分配された全ての送信チャネルに対して、余剰な送信電力の総量を決定する手段と、
前記定義することと、決定することと、分配することと、識別することと、再分配することとを１度またはそれ以上繰り返し実行する手段であって、最初の繰り返しに対する送信チャネルのセットが、複数の送信チャネルを含み、各後の繰り返しに対する送信チャネルのセットが、前記飽和スペクトル効率領域内にない送信チャネルを含み、各後の繰り返しに対して使用可能な総送信電力が、現在の繰り返しにおいて決定された余剰な送信電力の総量を含む手段と
を備える無線通信システムにおける装置。
【請求項４３】
送信電力を分配すべき１つまたは複数の送信チャネルからなるセットを定義する手段と、
前記セット内の送信チャネルに分配するのに利用できる総送信電力を決定する手段と、
特定の分配スキームに基づいて、前記総送信電力を、前記セット内の送信チャネルに分配する手段と、
前記分配された送信電力によって生じる、飽和スペクトル効率領域内の送信チャネルを識別する手段と、
前記飽和スペクトル効率領域内の各送信チャネルに、修正された量の送信電力を再分配する手段と、
前記修正された量の送信電力が再分配された全ての送信チャネルに対して、余剰な送信電力の総量を決定する手段と、
前記定義することと、決定することと、分配することと、識別することと、再分配することとを１度またはそれ以上繰り返し実行する手段であって、最初の繰り返しに対する送信チャネルのセットが、複数の送信チャネルを含み、各後の繰り返しに対する送信チャネルのセットが、前記飽和スペクトル効率領域内にない送信チャネルを含み、各後の繰り返しに対して使用可能な総送信電力が、現在の繰り返しにおいて決定された余剰な送信電力の総量を含む手段と
を備える無線通信システムにおけるコントローラ。
【請求項４４】
前記送信チャネルに分配された送信電力に部分的に基づいて、前記セット内の各送信チャネルに対して、有効ＳＮ比を決定する手段と、
前記セット内の各送信チャネルに対する有効ＳＮ比を、該送信チャネルに適用可能なしきい値ＳＮ比と比較する手段と、
その有効ＳＮ比が、前記適用可能なしきい値ＳＮ比よりも大きい場合に、送信チャネルが前記飽和スペクトル効率領域内にあると宣言する手段と
をさらに備える請求項４３に記載のコントローラ。
【請求項４５】
請求項４３のコントローラを備える基地局。
【請求項４６】
送信電力を分配すべき送信チャネルからなる第１のセットを識別する手段と、
前記第１のセット内の送信チャネルに分配するのに使用可能な総送信電力を決定する手段と、
特定の分配スキームに基づいて、前記総送信電力を、前記第１のセット内の送信チャネルに分配する手段と、
好適な動作点のために余剰な送信電力が分配された１つまたは複数の送信チャネルからなる第２のセットを識別する手段と、
前記第２のセット内の各送信チャネルに、好適な動作点を実現するための修正された量の送信電力を分配する手段と、
前記第２のセット内の全ての送信チャネルに対して余剰な電力の総量を決定する手段と、
より高い好適な動作点をサポートすることができる１つまたは複数の送信チャネルからなる第３のセットを識別する手段と、
前記余剰な電力の総量を、前記第３のセット内の１つまたは複数の送信チャネルに再分配する手段と
を備える無線通信システムにおけるコントローラ。
【請求項４７】
１つまたは複数の符号化および変調スキームに基づいて、複数の送信チャネルのためのデータを符号化して、複数のシンボルストリームを生成するように動作する送信データプロセッサと、
前記複数のシンボルストリームを処理して、通信チャネル上での送信に適した複数の変調信号を生成するように動作する複数の送信機と、
送信電力を分配すべき１つまたは複数の送信チャネルからなるセットを定義し、
前記セット内の送信チャネルに分配するのに利用できる総送信電力を決定し、
特定の分配スキームに基づいて、前記総送信電力を、前記セット内の送信チャネルに分配し、
前記分配された送信電力によって生じる、飽和スペクトル効率領域内の送信チャネルを識別し、
前記飽和スペクトル効率領域内の各送信チャネルに、修正された量の送信電力を再分配し、
前記修正された量の送信電力が再分配された全ての送信チャネルに対して、余剰な送信電力の総量を決定し、
前記定義することと、決定することと、分配することと、識別することと、再分配することとを１度またはそれ以上繰り返し実行し、最初の繰り返しに対する送信チャネルのセットが、複数の送信チャネルを含み、各後の繰り返しに対する送信チャネルのセットが、前記飽和スペクトル効率領域内にない送信チャネルを含み、各後の繰り返しに対して使用可能な総送信電力が、現在の繰り返しにおいて決定された余剰な送信電力の総量を含むことにより、前記複数の送信チャネルに送信電力を分配するように動作するコントローラと、
を備える無線通信システムにおける送信機ユニット。
【請求項４８】
前記送信データプロセッサは、さらに、変調シンボルに使用する送信チャネルに分配された送信電力に基づいて決定した特定の重みで各変調シンボルをスケールするように動作する、請求項４７に記載の送信機ユニット。
【請求項４９】
前記複数のシンボルストリームを前処理して、前記複数の送信チャネルを対角化するように動作する多入力多出力（ＭＩＭＯ）プロセッサをさらに備える、請求項４７に記載の送信機ユニット。
【請求項５０】
請求項４７の送信機ユニットを備える基地局。
【請求項５１】
無線通信システムにおける受信機ユニットであって、
サンプルからなる複数のストリームを受信して処理し、受信したシンボルからなる複数のストリームを生成するように動作し、かつ前記複数の受信シンボルストリームに用いる複数の送信チャネルのためのチャネル状態情報（ＣＳＩ）を得るように動作する受信多入力多出力（ＭＩＭＯ）プロセッサと、
１つまたは複数の変調スキームおよび復号スキームに従って、前記複数の受信シンボルストリームを処理して復号データを生成するように動作する受信データプロセッサとを備え、
前記複数の送信チャネルのための送信電力が、特定の分配スキームに基づいて利用可能な総送信電力を前記複数の送信チャネルに分配し、飽和スペクトル効率領域内の各送信チャネルに、修正された量の送信電力を再分配し、前記修正された量の送信電力が再分配された全ての送信チャネルについて、余剰な送信電力の総量を決定することと、前記定義することと、決定することと、分配することと、識別することと、再分配することとを１度またはそれ以上繰り返し実行することであって、最初の繰り返しに対する送信チャネルのセットが、複数の送信チャネルを含み、各後の繰り返しに対する送信チャネルのセットが、前記飽和スペクトル効率領域内にない送信チャネルを含み、各後の繰り返しに対して使用可能な総送信電力が、現在の繰り返しにおいて決定された余剰な送信電力の総量を含む受信機ユニット。
【請求項５２】
前記受信多入力多出力（ＭＩＭＯ）プロセッサは、さらに、前記複数の受信シンボルを前処理し、前記複数の送信チャネルを対角化するように動作する、請求項５１に記載の受信機ユニット。
【請求項５３】
送信機ユニットへ戻す送信のため前記チャネル状態情報（ＣＳＩ）を処理するように動作する送信データプロセッサをさらに備える、請求項５１に記載の受信機ユニット。
【請求項５４】
無線通信システムにおける受信機装置であって、
サンプルからなる複数のストリームを処理して、受信したシンボルからなる複数のストリームを生成し、かつ前記複数の受信シンボルストリームに用いる複数の送信チャネルのためのチャネル状態情報（ＣＳＩ）を得る手段と、
１つまたは複数の復調スキームおよび復号スキームに従って前記複数の受信シンボルストリームを処理して復号データを生成する手段とを備え、
前記複数の送信チャネルのための送信電力が、特定の分配スキームに基づいて利用可能な総送信電力を前記複数の送信チャネルに分配し、飽和スペクトル効率領域内の各送信チャネルに、修正された量の送信電力を再分配し、前記修正された量の送信電力が再分配された全ての送信チャネルに対して、余剰な送信電力の総量を決定することと、前記定義することと、決定することと、分配することと、識別することと、再分配することとを１度またはそれ以上繰り返し実行することであって、最初の繰り返しに対する送信チャネルのセットが、複数の送信チャネルを含み、各後の繰り返しに対する送信チャネルのセットが、前記飽和スペクトル効率領域内にない送信チャネルを含み、各後の繰り返しに対して使用可能な総送信電力が、現在の繰り返しにおいて決定された余剰な送信電力の総量を含む受信機装置。
【請求項５５】
無線通信システムのための受信機装置であって、
サンプルからなる複数のストリームを処理して、受信したシンボルからなる複数のストリームを生成し、かつ前記複数の受信シンボルストリームに用いる複数の送信チャネルのためのチャネル状態情報（ＣＳＩ）を得る手段と、
１つまたは複数の復調スキームおよび復号スキームに従って前記複数の受信シンボルストリームを処理して復号データを生成する手段とを備え、
前記得られたＣＳＩは、注水分配スキームに基づいて、前記複数の送信チャネルに対して利用可能な総送信電力を分配するために部分的に用いられる受信機装置。
【請求項５６】
前記サンプルからなる複数のストリームを処理して、受信したシンボルからなる複数のストリームを生成し、かつ前記複数の受信シンボルストリームに用いる複数の送信チャネルのためのチャネル状態情報（ＣＳＩ）を得る手段は、受信（ＲＸ）ＭＩＭＯプロセッサを備え、
前記１つまたは複数の復調スキームおよび復号スキームに従って前記複数の受信シンボルストリームを処理して復号データを生成する手段は、受信データプロセッサを備える、請求項５５に記載の受信機装置。
【請求項５７】
前記受信ＭＩＭＯプロセッサは、
前記複数の受信シンボルストリームを前処理して、前記複数の送信チャネルを対角化するように更に動作する、請求項５６に記載の受信機装置。
【請求項５８】
送信機ユニットへ戻す送信のため前記チャネル状態情報（ＣＳＩ）を処理するように動作する送信データプロセッサを更に備える、請求項５６に記載の受信機装置。
【請求項５９】
サンプルからなる複数のストリームを処理して、受信したシンボルからなる複数のストリームを生成し、かつ前記複数の受信シンボルストリームに用いる複数の送信チャネルのためのチャネル状態情報（ＣＳＩ）を得ることと、
１つまたは複数の復調スキームおよび復号スキームに従って前記複数の受信シンボルストリームを処理して復号データを生成することとを備え、
前記得られたＣＳＩは、注水分配スキームに基づいて、前記複数の送信チャネルに対して利用可能な総送信電力を分配するために部分的に用いられる方法。
【請求項６０】
前記複数の受信シンボルストリームを前処理して、前記複数の送信チャネルを対角化することを更に備える、請求項５９に記載の方法。
【請求項６１】
送信機ユニットへ戻す送信のため前記チャネル状態情報（ＣＳＩ）を処理することを更に備える、請求項５９に記載の方法。
【請求項６２】
格納された命令群のセットを有するコンピュータ読取可能媒体を備えるコンピュータプログラム製品であって、１または複数のプロセッサによって実行可能な前記命令群のセットは、
サンプルからなる複数のストリームを処理して、受信したシンボルからなる複数のストリームを生成し、かつ前記複数の受信シンボルストリームに用いる複数の送信チャネルのためのチャネル状態情報（ＣＳＩ）を得るための命令群と、
１つまたは複数の復調スキームおよび復号スキームに従って前記複数の受信シンボルストリームを処理して復号データを生成するための命令群とを備え、
前記得られたＣＳＩは、注水分配スキームに基づいて、前記複数の送信チャネルに対して利用可能な総送信電力を分配するために部分的に用いられるコンピュータプログラム製品。
【請求項６３】
前記命令群のセットは、前記複数の受信シンボルストリームを前処理して、前記複数の送信チャネルを対角化するための命令群を更に備える、請求項６２に記載のコンピュータプログラム製品。
【請求項６４】
前記命令群のセットは、送信機ユニットへ戻す送信のため前記チャネル状態情報（ＣＳＩ）を処理するための命令群を更に備える、請求項６２に記載の、コンピュータプログラム製品。